(57)【要約】筐体（２）と液晶表示装置（１２）を有する台所用品（１）において、液晶表示装置は、筐体の収容セクション（１１）内に収容され、また、収容セクションは、前面（１３）と背面（１４）において、透明筐体壁セクション（１５，１６）により境界付けられ、液晶表示装置は、ネガで透過型の液晶表示装置の形であり、この液晶表示装置は、２つの透明筐体壁セクションの間に配置される。
2005531043.tif 000002
【特許請求の範囲】
【請求項１】
筐体壁を有する筐体と、
前記筐体内に収容され、台所用品内で生じるデータを表示するよう設けられる液晶表示装置とが具備される台所用品であって、
前記筐体には、前記液晶表示装置を収容する収容セクションが具備され、
前記収容セクションは、前面と前記前面とは反対の背面において、透明筐体壁セクションにより境界付けられ、
前記液晶表示装置は、ネガで透過型の液晶表示装置の形であり、
前記ネガで透過型の液晶表示装置は、前記筐体の前記２つの透明筐体壁セクションの間に配置され、
前記ネガで透過型の液晶表示装置の前面は、前記筐体の前記前面にある前記透明筐体壁セクションに隣接して配置される台所用品。
【請求項２】
前記筐体には、主領域と補助領域が具備され、
前記筐体には、その補助領域において、短い基部セクションと長い上部セクションを有するＬ字型展開部が具備され、
前記収容セクションは、前記上部セクションの自由端の領域に設けられ、
前記収容セクション内には、前記ネガで透過型の液晶表示装置が収容される請求項１記載の台所用品。
【請求項３】
前記上部セクションは、前記台所用品が水平の作業面上に置かれる場合は基本的に垂直に延在し、
前記収容セクションは、前記上部セクションを横断するよう延在する請求項２記載の台所用品。
【請求項４】
前記台所用品は、スケールの形である請求項１記載の台所用品。
【発明の詳細な説明】
【技術分野】
【０００１】
本発明は、筐体壁を有する筐体と、筐体内に収容され、台所用品から生じるデータを表示するよう設けられる液晶表示装置とが具備され、その筐体には、液晶表示装置を収容する収容セクションが具備される台所用品に係る。
【背景技術】
【０００２】
上の第１の段落に記載した汎用型の台所用品は、出願人によって、型指定ＨＲ２３８８及びＨＲ２３８９を有する２つの設計変形の形で取引されており、従って、公知である。上の第１の段落に記載した汎用型の台所用品に関して、特許文書ＤＥ４２０５１２０Ａ１を参照されてもよい。
【０００３】
公知の解決策では、台所用品は、スケールの形で実現され、筐体には、平面図において基本的に円形である主領域と、主領域から横方向に突出し平面図において大凡環状セクタの形を取る補助領域が具備される。筐体の主領域と補助領域は共に、低い全高しか示さない。この公知の解決策では、液晶表示装置は、ポジで反射型（positively reflective）の液晶表示装置の形にある。公知の設計では、筐体の構造的設計によって、重さを量るべきアイテムを入れる大きいコンテナを用いる際、液晶表示装置は、少なくとも部分的にその大きいコンテナによって遮られてしまうという問題が発生する。その結果、液晶表示装置によって示されるデータの読取りが阻害される。更に、ポジで反射型の液晶表示装置では、常に満足のゆく表示状況が達成される訳ではないということが発生する。
【発明の開示】
【発明が解決しようとする課題】
【０００４】
本発明は、上述した問題を解決し、改良された台所用品を生成することを目的とする。
【課題を解決するための手段】
【０００５】
上述の目的を達成するために、本発明の特徴は、本発明の台所用品に与えられ、それにより、本発明の台所用品は、以下に記載するように特徴付けられることが可能である。即ち、筐体壁を有する筐体と、筐体内に収容され、台所用品内で生じるデータを表示するよう設けられる液晶表示装置とが具備される台所用品であって、筐体には、液晶表示装置を収容する収容セクションが具備され、収容セクションは、前面と前面とは反対の背面において、透明筐体壁セクションにより境界付けられ、液晶表示装置は、ネガで透過型（negatively transmissive）の液晶表示装置の形にあり、ネガで透過型の液晶表示装置は、筐体の２つの透明筐体壁セクションの間に配置され、ネガで透過型の液晶表示装置の前面は、筐体の前面における透明筐体壁セクションに隣接して配置される。
【０００６】
改良された台所用品は、ネガで透過型の液晶表示装置の使用を介して得られる。このことは、本発明の特徴を与えることにより単純な方法で達成される。というのは、本発明の台所用品では、台所又は似たような部屋における通常の照明状況において、実質的に常に正しくまた満足のゆく表示状況が得られる。これらは、ネガで透過型の液晶表示装置の特性にかなりの度合いに基づいており、この特性は、試験状況下で示されたように、台所又は似たような部屋における通常の照明状況において非常に有利であることが証明されている。１つの更なる及び特に大きな利点は、ネガで透過的な液晶表示装置は、光源によって後方から光が当てられることが可能であり、その結果、非常に最適な表示状況が達成されるという事実にある。
【０００７】
本発明の台所用品では、更に、請求項２に記載する特徴が与えられたのならば非常に有利であることが証明されている。その結果、ネガで透過型の液晶表示装置によって示されるデータの妨害されず容易な読取りが常に確実にされる。
【０００８】
全段落に記載する台所用品において、更に、請求項３に記載する特徴が与えられたのならば特に有利であることが証明されている。このようにすると、表示されたデータの特に好都合で、妨害されない読取りが確実にされる。
【０００９】
本発明の台所用品は、食品をブレンドする、混ぜ合わせる、及び／又は切るためのキッチンマシーンの形であってもよい。本発明の台所用品が、一組のスケールの形であるならば特に有利であることが証明されている。一組のスケールでは、本発明の手段が特に有利であることが証明されている。
【発明を実施するための最良の形態】
【００１０】
本発明の上述した面及び更なる面を以下に説明する。
【００１１】
本発明は、図面に示す実施例を参照しながら更に説明する。しかし、本発明はそれらの実施例に制限されるものではない。
【００１２】
図１は、ここでは、一組のキッチンスケール１の形である台所用品１を示す。キッチンスケール１には、多数の筐体壁を有し、主領域３と補助領域４が具備される筐体２が具備される。筐体２の主領域３は、円形カバー壁５と、略円錐台状に展開される側壁６と、図面には示さない底壁を有する。カバー壁５上に、重さを量るべきアイテムを受容するよう設けられるコンテナ７を置くことが可能である。
【００１３】
筐体２の補助領域４には、短い基部セクション８と長い上部セクション９が設けられるＬ字型展開部が具備される。補助領域４の基部セクション８は、筐体２の主領域３に接続される。上部セクション９の自由端１０の領域では、上部セクション９より広い形状を有する収容セクション１１が上部セクション９に接続される。
【００１４】
筐体２の収容セクション１１は、液晶表示装置１２を収容するよう設けられ且つ設計され、この液晶表示装置１２は、筐体２の収容セクション１１内に収容され、特に、台所用品において生じる重量データであるデータを表示するよう設けられる。この台所用品１では、液晶表示装置１２は、ネガで透過型の液晶表示装置１２の形であることが有利である。従って、筐体２の収容セクション１１は、前面１３と前面１３と反対にある背面１４において、透明の筐体壁セクション１５及び１６それぞれによって境界付けられる。第１の透明筐体壁セクション１５及び第２の透明筐体壁セクション１６は、それぞれ、プラスチック部分の形であり、パネル形状で透明であり、収容セクション１１における窓１７及び１８にそれぞれ入れられる。しかし、２つの筐体壁セクション１５及び１６は、ガラスから構成されてもよい。図３から明らかに分かるように、ネガで透過型の液晶表示装置１２は、筐体２の２つの透明筐体壁セクション１５と１６の間に配置され、ネガで透過型の液晶表示装置１２の前面１９は、筐体２の前面１３上にある第１の透明筐体壁セクション１５に隣接して配置される。
【００１５】
図１から分かるように、上部セクション９は、キッチンスケール１が水平作業面上に置かれる場合は基本的に垂直に延在する。収容セクション１１は、上部セクション９に対して横断するように延在し、その結果、ネガで透過型の液晶表示装置１２の便利な読取りが確実にされる。
【００１６】
ネガで透過型の液晶表示装置１２は、図３に概略的に示すように、接続リード線２０を介して電子駆動回路２１に接続される。ネガで透過型の液晶表示装置１２は、重量データを表示するよう設けられ且つ設計される。重量データを決定するために、コンテナ７に含まれる重みを量るべきアイテムの重量を決定する手段が、キッチンスケール１の主領域３に含まれる。このために、環状シャーシ２２が主領域３内に設けられる。シャーシ２２には、全体で４つの脚構成２３、２４、２５、及び２６が接続される。各脚構成２３乃至２６は、抵抗変形ゲージ原理に応じて設計され、且つ、決定すべき重量の決定のために設けられるセンサ２７、２８、２９、３０を含む。４つのセンサ２７乃至３０のそれぞれは、図示しないマイクロプロセッサにセンサ信号を与え、マイクロプロセッサは、４つのセンサ信号から決定すべき重量を決定し、その決定した重量に応じて、駆動回路２１に制御信号を与える。駆動回路２１は、ネガで透過型の液晶表示装置１２によって表示される表示信号を生成する。
【００１７】
図１乃至３に示すキッチンスケール１では、収容セクション１１は、上部セクション９に調節可能なように接続されていない。しかし、収容セクション１１が上部セクション９にスイベル接続され、従って、収容セクション１１の傾斜位置が上部セクション９に対して調節される設計も実現されてもよい。
【００１８】
本発明の手段は、キッチンスケールの場合だけではなく、例えば、キッチンマシーン、ミキサ、及び同様の台所用品といった他の台所用品にも有利である。
【図面の簡単な説明】
【００１９】
【図１】本発明の１つの実施例による台所用品を示す上からの斜視図である。
【図２】図１の台所用品の一部の主要な構成要素を示す分解図である。
【図３】図１及び図２に示す台所用品の液晶表示装置を収容する収容セクションを概略的に示す断面図である。
【図２】
2005531043.tif 000003
【図３】
2005531043.tif 000004
【図１】
2005531043.tif 000005
【国際調査報告】
2005531043.tif 000006
2005531043.tif 000007
2005531043.tif 000008